(57)【要約】【課題】高精度のホーニング加工が可能であり、かつ、ワーク全体の精度を保証できるホーニング加工方法及び装置を提供することを課題とする。【解決手段】本実施形態のホーニング加工方法は、外周部に、径方向に向けて出没可能な砥石１１・１１・・・を有するホーニングツール１０を用いて、各砥石１１をコンロッド２の大端孔３内で拡張させて芯出しした後、コンロッド２を治具２０により所定のクランプ力でクランプした状態で、ホーニングツール１０の主軸１３を回転させることによってホーニング加工を開始する。このとき、主軸１３の初動回転時の各砥石１１の拡張圧を、治具２０によりクランプされたコンロッド２が、初動回転時に相対変位を生じない圧力（芯出し圧Ｐ１）に設定する。【選択図】図５
2010208004.tif 000002
【特許請求の範囲】
【請求項１】
外周部に、径方向に向けて出没可能な砥石を有するホーニングツールを用いて、当該砥石をワークの孔内で拡張させて芯出しした後、前記ワークを所定のクランプ力でクランプした状態で、前記ホーニングツールを回転させることによってホーニング加工するホーニング加工方法であって、
前記ホーニングツールの初動回転時の砥石拡張圧を、クランプされた前記ワークが、前記初動回転時に相対変位を生じない圧力に設定するホーニング加工方法。
【請求項２】
ワークの孔の内周面をホーニング加工するホーニング加工装置であって、
外周部に、径方向に向けて出没可能な砥石を有し、当該砥石を突出させた状態で回転することにより前記ワークの孔の内周面を研削するホーニングツールと、
前記ワークを、前記ワークの孔の貫通方向に向けてクランプする治具と、
前記ホーニングツール及び前記治具の作動を制御する制御装置とを具備し、
前記制御装置は、前記砥石を前記ワークの孔内で拡張させて芯出しした後、前記ワークを所定のクランプ力でクランプした状態で、前記ホーニングツールを回転させる際の、前記ホーニングツールの初動回転時の砥石拡張圧を、前記治具によりクランプされた前記ワークが、前記初動回転時に相対変位を生じない圧力に設定するホーニング加工装置。
【発明の詳細な説明】
【技術分野】
【０００１】
本発明は、ホーニング加工方法及び装置に関する。
【背景技術】
【０００２】
表面の面精度、真円度等に高い精度が要求されるワークの孔部分（以下、「ワーク孔」）の内周面の仕上げ加工に際して、ホーニングツールを用いてその内周面を研磨し、所望の面精度、真円度を得るホーニング加工が広く用いられている。ホーニング加工の際には、ワーク孔の貫通方向に向けたクランプ力を発生させる治具を用いて、ワークをクランプした状態で加工が行われる（例えば、特許文献１参照。）。
高精度部位として構成されるワーク孔の一例として、エンジンのピストン往復動をクランクシャフトに伝達する「コンロッドの大端孔」がある。コンロッドの大端孔には、クランクシャフトが回転自在に貫装されるため、大端孔の面精度及び真円度がエンジン性能に大きく関与する。このため、コンロッドの大端孔の内周面の仕上げ加工には、特に高い精度が求められている。
【０００３】
特許文献１には、ホーニングツールの砥石を拡張させ、ワーク孔の内周面に接触させて芯出しした後、治具でワークをクランプした状態でホーニング加工を行う技術が開示されている。これによれば、ワークを精度良く位置決めできるので、加工しろが少ない場合でもワークと治具との直交度を確保でき、高精度のホーニング加工が可能となる。
しかしながら、特許文献１に開示されるホーニング加工方法では、芯出し後の砥石回転の初動トルクに治具のクランプ力が負け、ワークが回転してしまう可能性がある。
【０００４】
特に量産工程では、ワークをコンロッド等の棒状部材（長尺、かつ、一端が被加工端となる部材）とした場合、ワークの被加工端と反対側の端部を別途のガイド部材に接触させることにより、一端側の位置精度を確保して、ワークの位置決め精度を向上する技術が用いられている。
そのため、ホーニング加工時にワークに回転トルクが付加された場合、上述のように接触側端部によりワークの回転が規制されているため、ワークに曲げ応力が発生して変形してしまい、変形状態のままホーニング加工が施されることとなる。このようにホーニング加工が行われると、治具のクランプを解除した後に、前記曲げ応力が解除され、真円形状にホーニング加工されたワーク孔が楕円形状に変形する不具合があった。
【０００５】
一方、治具によるクランプ力を大きくすると、ワークの回転を抑制できるが、背反として、ワークのクランプ方向（ワーク孔の貫通方向）での真直度が規格から外れるため、クランプ力を変更することによって上記不具合を解消することは適切ではない。また、量産の観点からは、治具に対して大きな変更を加えることはラインの変更に繋がるためコスト的にも好ましくない。
上述のように、高精度部位に対するホーニング加工では、ワークを押さえる治具のクランプ力、ホーニングツールの砥石拡張圧等の影響で必ずしもワーク全体の精度（特にワーク孔の真円度及びワークの真直度）が保証されないという課題が残っている。
【先行技術文献】
【特許文献】
【０００６】
【特許文献１】特開平９−２５４０１０号公報
【発明の概要】
【発明が解決しようとする課題】
【０００７】
本発明は、高精度のホーニング加工が可能であり、かつ、ワーク全体の精度（特にワーク孔の真円度及びワークの真直度）を保証できるホーニング加工方法及び装置を提供することを課題とする。
【課題を解決するための手段】
【０００８】
請求項１に記載のホーニング加工方法は、外周部に、径方向に向けて出没可能な砥石を有するホーニングツールを用いて、当該砥石をワークの孔内で拡張させて芯出しした後、前記ワークを所定のクランプ力でクランプした状態で、前記ホーニングツールを回転させることによってホーニング加工するホーニング加工方法であって、前記ホーニングツールの初動回転時の砥石拡張圧を、クランプされた前記ワークが、前記初動回転時に相対変位を生じない圧力に設定する。
【０００９】
請求項２に記載のホーニング加工装置は、ワークの孔の内周面をホーニング加工するホーニング加工装置であって、外周部に、径方向に向けて出没可能な砥石を有し、当該砥石を突出させた状態で回転することにより前記ワークの孔の内周面を研削するホーニングツールと、前記ワークを、前記ワークの孔の貫通方向に向けてクランプする治具と、前記ホーニングツール及び前記治具の作動を制御する制御装置とを具備し、前記制御装置は、前記砥石を前記ワークの孔内で拡張させて芯出しした後、前記ワークを所定のクランプ力でクランプした状態で、前記ホーニングツールを回転させる際の、前記ホーニングツールの初動回転時の砥石拡張圧を、前記治具によりクランプされた前記ワークが、前記初動回転時に相対変位を生じない圧力に設定する。
【発明の効果】
【００１０】
本発明のホーニング加工方法及び装置によれば、高精度のホーニング加工が可能であり、かつ、ワーク全体の精度（特にワーク孔の真円度及びワークの真直度）を保証できる。
【図面の簡単な説明】
【００１１】
【図１】ホーニング加工装置を備えるラインを示す概略図である。
【図２】ホーニング加工装置を示す概略図である。
【図３】ホーニング加工装置の制御構成を示すブロック図である。
【図４】ホーニングツールを示す概略図である。
【図５】ホーニング加工工程を示すフローである。
【図６】ホーニング加工工程を示す模式図である。
【図７】ホーニング加工工程による加工後のワークを示す図であり、（ａ）は従来のホーニング加工工程によるもの、（ｂ）は本発明のホーニング加工工程によるものである。
【発明を実施するための形態】
【００１２】
以下では、図１〜図４を参照して、本発明に係るホーニング加工装置の実施の一形態であるホーニング加工装置１について説明する。
ホーニング加工装置１は、ワークであるコンロッド２の仕上げ工程に用いられる研削装置であり、コンロッド２の大端孔３の内周面を研磨する。
コンロッド２は、一端に大端孔３が形成され、大端孔３の反対端に小端孔４が形成される棒状の部材である。これら大端孔３及び小端孔４は貫通孔として形成されており、大端孔３には、エンジンのクランクシャフトが回転自在に貫装され、大端孔３の内周面はクランクシャフトとの摺動面を形成する。
【００１３】
図１に示すように、ホーニング加工装置１は、コンロッド２に仕上げ加工を施すライン５に備えられている。
ライン５は、量産ラインであり、ホーニング加工装置１に加えて、コンロッド２・２・・・を連続的に搬送する搬送装置６、コンロッド２の大端孔３と反対側の端部に配される小端孔４側の側面に接触することによって、搬送装置６により搬送されるコンロッド２をガイドするとともに、コンロッド２をホーニング加工装置１に対して所定の姿勢に保持するガイド７等を含む。
ライン５では、コンロッド２がガイド７によって所定の姿勢に保持されつつ、ホーニング加工装置１によってホーニング加工される。つまり、ライン５は、ガイド７によってコンロッド２の大端孔３の孔位置をホーニング加工装置１に対して所定の加工位置に位置決めしつつ、搬送装置６によりコンロッド２を搬送し、コンロッド２・２・・・の各大端孔３に対して連続的にホーニング加工を行う。
【００１４】
図２及び図３に示すように、ホーニング加工装置１は、ワークに研削加工を施す研削工具であるホーニングツール１０、ワークを所定の箇所に保持する治具２０、ホーニングツール１０及び治具２０の作動を制御する制御装置３０等を具備する。
【００１５】
図２及び図４に示すように、ホーニングツール１０は、研削加工を施す複数の砥石１１・１１・・・、砥石１１・１１・・・を保持する保持体１２、保持体１２を支持する主軸１３、保持体１２に保持される砥石１１・１１・・・を径方向に拡張・縮小する砥石拡張機構１４、主軸１３を軸方向に伸縮させる油圧シリンダ、主軸１３を回転駆動する回転駆動体（共に図２及び図４においては不図示）等を有する。
【００１６】
複数の砥石１１・１１・・・は、外周面が研削面として形成され、ワークであるコンロッド２の大端孔３の内周面を研削する部材である。各砥石１１は、保持体１２の周方向に等間隔に配置され、かつ、保持体１２の径方向に出没自在に設けられている。
なお、図４では説明の便宜上砥石１１の個数を６個としているが、これに限定されるものではなく、ホーニング加工装置１の設備規模、加工対象の大きさ等に応じて適宜選択可能である。
【００１７】
保持体１２は、砥石１１・１１・・・を出没自在に保持する円筒状の部材である。保持体１２における各砥石１１の保持部は、例えば、砥石１１の形状に応じた形状を有する切り欠きとして保持体１２の外周部に形成されており、各砥石１１を、砥石１１の保持体１２の外周面からの突出量を変更可能に保持している。
保持体１２は、主軸１３の先端（図２において下端）に固定・支持されている。主軸１３は、前記油圧シリンダのシリンダロッドに固定されているとともに、前記回転駆動体の駆動力を伝達可能に構成されている。これら油圧シリンダ及び回転駆動体は、図３に示すように制御装置３０と電気的に接続されており、制御装置３０からの制御信号を受けて、（１）油圧シリンダが駆動されることにより主軸１３を軸方向に移動させて保持体１２の突出位置（図２において上下位置）を変更し、（２）回転駆動体が回転駆動されることにより主軸１３を回転駆動させて保持体１２が回転される。
【００１８】
砥石拡張機構１４は、保持体１２内に備えられ、保持体１２の内部から前記保持部を介して、砥石１１・１１・・・に対して所定の圧力（拡張圧）を付与するものである。また、砥石拡張機構１４から砥石１１・１１・・・に対する拡張圧の付与を解除することによって、砥石１１・１１・・・が保持体１２内に没入する。
砥石拡張機構１４は、砥石１１・１１・・・の突出量（拡張量）を調整可能であり、砥石１１・１１・・・によるホーニング加工量（拡張径）を調整する。具体的には、図３に示すように、砥石拡張機構１４は、制御装置３０と電気的に接続されており、制御装置３０からの制御信号を受けて、砥石１１・１１・・・を保持体１２の径方向に所定の拡張圧にて拡張可能、かつ、砥石１１・１１・・・を保持体１２の径方向に所定の突出量だけ突出可能に構成されている。
このような砥石拡張機構１４としては、公知のテーパコーン等を用いた構成が適用可能である。
【００１９】
治具２０は、コンロッド２の大端孔３の貫通方向（図２において上下方向）に向けて、所定のクランプ力でコンロッド２をクランプする。より厳密には、治具２０は、適宜の昇降機構（図３参照）によりコンロッド２の大端孔３の貫通方向に向けて往復動可能に構成されており、コンロッド２の端面と当接しつつ、コンロッド２を搬送装置６に向けて押圧力を付与することによって、治具２０と搬送装置６とによってコンロッド２を挟持する。また、押圧力を解除し、コンロッド２と離間する方向に移動させることで、コンロッド２をアンクランプする。
治具２０は、コンロッド２の大端孔３の内径より大きい内径を有する円筒状の部材であり、大端孔３の貫通方向と同一方向に開口している。治具２０は、ライン５内で搬送装置６によって搬送されてくるコンロッド２と対向するように配置されており、対向する端面の略全域に当接可能である。
また、治具２０は、ホーニングツール１０の加工位置に配置されており、かつ、ホーニングツール１０とコンロッド２との間に配置されている。治具２０の内部空間には、ホーニングツール１０の保持体１２が軸方向に移動自在に挿入される。このようにして、ホーニングツール１０とコンロッド２との間に治具２０を介在させつつ、ホーニングツール１０とコンロッド２との接触を可能としている。
【００２０】
制御装置３０は、ホーニングツール１０及び治具２０の作動を制御して、ホーニングツール１０の砥石１１・１１・・・によってコンロッド２の大端孔３を研削させる。つまり、制御装置３０は、ホーニング加工装置１によるホーニング加工を制御するものである。
具体的には、制御装置３０は、治具２０の昇降装置を作動させて、コンロッド２をクランプ／アンクランプする。また、制御装置３０は、ホーニングツール１０を作動させて、コンロッド２の大端孔３に対してホーニング加工を施す。
図３に示すように制御装置３０は、上述のように油圧シリンダ、回転駆動体、砥石拡張機構１４、治具２０の昇降機構等と適宜の配線によって電気的に接続されており、それぞれに制御信号を送信可能に構成されている。また、制御装置３０は、コンロッド２の大端孔３に対するホーニング加工における所定の加工条件、加工工程等を予め記憶しており、係る加工条件に基づいてホーニング加工装置１を制御する。
【００２１】
以下では、図５及び図６を参照して、ホーニング加工装置１を用いたホーニング加工工程について説明する。
本実施形態のホーニング加工工程は、ライン５内でコンロッド２がホーニング加工装置１による加工位置まで搬送された状態において、コンロッド２の大端孔３内で砥石１１・１１・・・を拡張させて、芯出しした後に、治具２０にてコンロッド２をクランプし、その状態で主軸１３を回転させてホーニング加工を行う工程である。
【００２２】
図５に示すように、ホーニング加工工程では、砥石１１・１１・・・とコンロッド２の大端孔３とが接触可能な位置まで主軸１３を下降させ（Ｓ１１）、主軸１３を下降させた状態で、砥石拡張機構１４により砥石１１・１１・・・を芯出し圧Ｐ１（例えば０．４ＭＰａ）で拡張させて、砥石１１・１１・・・を大端孔３の内周面に接触させ、砥石１１・１１・・・と大端孔３との芯出しを行う（Ｓ１２）。次に、治具２０を作動させて、コンロッド２をクランプし（Ｓ１３）、主軸１３を回転駆動する（Ｓ１４）。つまり、主軸１３の初動回転時の各砥石１１の拡張圧は、芯出し圧Ｐ１に設定されている。
主軸１３の回転駆動が開始されるとともに、砥石拡張機構１４により砥石１１・１１・・・を加工圧Ｐ２（例えば０．６ＭＰａ）で拡張させる（Ｓ１５）。これにより、回転駆動される砥石１１・１１・・・による大端孔３の内周面の研削が開始される。
そして、砥石１１・１１・・・が加工圧Ｐ２で拡張された状態で、荒拡張により大端孔３の内周面を荒加工し（Ｓ１６）、仕上げ拡張により大端孔３の内周面を仕上げ加工する（Ｓ１７）。なお、仕上げ加工時の各砥石１１の拡張圧は、加工圧Ｐ２よりも大きいものでも良く、サイクルタイム、砥石の目詰まり等を考慮して適宜設定可能である。
仕上げ加工終了後、砥石拡張機構１４を作動させて砥石１１・１１・・・を没入させてから主軸１３を上昇させ（Ｓ１８）、治具２０を作動させて、コンロッド２をアンクランプする（Ｓ１９）。
【００２３】
次に、図６を参照して、本実施形態のホーニング加工工程における芯出し圧Ｐ１及び加工圧Ｐ２について詳細に説明する。
図６（ａ）に示すように、コンロッド２が所定の加工位置に搬送されると、制御装置３０から前記油圧シリンダ及び砥石拡張機構１４に制御信号を送信して、砥石１１・１１・・・を芯出し圧Ｐ１で拡張し、砥石１１・１１・・・の外周面と大端孔３の内周面とが均等に接触するようにして、芯出しを行う。芯出し圧Ｐ１は、砥石１１・１１・・・の回転軸と大端孔３の中心軸を一致させる際の砥石１１・１１・・・と大端孔３との接触圧であり、主軸１３の初動回転時の砥石１１・１１・・・の拡張圧となる。
このとき、芯出し圧Ｐ１は、治具２０によりクランプされたコンロッド２が、主軸１３の初動回転時に相対的に変位を生じない程度の圧力に設定されている。つまり、砥石１１・１１・・・を芯出し圧Ｐ１で大端孔３に押圧しつつ、主軸１３を回転開始することにより大端孔３に伝達される初動トルクＴ１の大きさが、治具２０のクランプによってコンロッド２に生じる保持力より小さくなるように設定されている。
【００２４】
図６（ｂ）に示すように、芯出し圧Ｐ１で砥石１１・１１・・・を拡張させつつ、制御装置３０から治具２０及び前記回転駆動体に制御信号を送信して、治具２０によりコンロッド２をクランプした状態で、主軸１３を回転駆動する。
このとき、主軸１３が停止しているので、芯出し圧Ｐ１に基づいて、各砥石１１と大端孔３の内周面との間に静止摩擦力が発生し、係る静止摩擦力に基づいた初動トルクＴ１が各砥石１１から大端孔３の内周面に発生し、係る初動トルクＴ１がコンロッド２に伝達される。
これに対し、コンロッド２は治具２０により所定の圧力でクランプされているので、初動トルクＴ１によってコンロッド２が回転することはない。
【００２５】
図６（ｃ）に示すように、主軸１３が回転駆動されると同時に制御装置３０から砥石拡張機構１４に制御信号を送信して、砥石１１・１１・・・を加工圧Ｐ２で拡張し、砥石１１・１１・・・と大端孔３の内周面とを接触させて研削する。
このとき、主軸１３が回転しているので、加工圧Ｐ２に基づいて、各砥石１１と大端孔３の内周面との間に動摩擦力が発生し、係る動摩擦力に基づいた加工トルクＴ２がコンロッド２に伝達される。この加工トルクＴ２は、静止摩擦力による初動トルクＴ１よりも十分に小さいため、加工トルクＴ２によってコンロッド２は治具２０に対して相対的に変位することはない。
【００２６】
以上のように、砥石１１・１１・・・からコンロッド２の大端孔３に伝達する初動トルクＴ１が、治具２０のクランプによって生じる保持力より小さくなるように芯出し圧Ｐ１を設定し、芯出し後に主軸１３を回転させるので、主軸１３を回転させてホーニング加工を開始する際にコンロッド２が回転することがなく、回転によりガイド７等への接触力が新たに加わることが無く、コンロッド２の長手方向に対する曲げ応力が発生しない。
これにより、初動トルクＴ１に起因する大端孔３の変形を防止でき、ホーニング加工終了時、コンロッド２をアンクランプした際の変形を防止できる。従って、コンロッド２の大端孔３について高精度部位として求められる真円度を十分に確保できる。
また、治具２０によるクランプ力の変更を必要としないので、現状のクランプ力でコンロッド２を十分に保持することができ、コンロッド２のクランプ方向に対する真直度を確保できる。これにより、上記大端孔３の真円度と併せて、コンロッド２全体の精度を確保できる。
また、治具２０のクランプ構成、コンロッド２のガイド構成等を変更する必要がないので、ホーニング加工装置１を従来と同様の量産工程（ライン５等）に適用でき、治具構成の変更、新たな設備投入等にかかるコスト、メンテナンス費用等を低減できる。
また、コンロッド２の大端孔３内で砥石１１・１１・・・を拡張させて芯出しすることにより、砥石１１・１１・・・を大端孔３に容易に食い付かせることができるので、加工精度、加工時間等を容易にコントロールできる。
【００２７】
以下では、図７を参照して、従来のホーニング加工工程に従ってコンロッド２の大端孔３に対するホーニング加工を行った場合（図７（ａ）参照）と、本実施形態のホーニング加工工程に従ってコンロッド２の大端孔３に対するホーニング加工を行った場合（図７（ｂ）参照）との大端孔３の精度（真円度）について比較して説明する。図７は、フィルタ（５０Ｕ／Ｒ）を用いて測定倍率５０００倍で測定した測定結果、及び最小二乗中心法（ＬＳＣ）を用いて真円度を計算した計算結果を示す。
なお、コンロッド２の大端孔３の真円度の規格は５．０μｍとする。
【００２８】
従来のホーニング加工工程は、芯出し時の砥石１１・１１・・・の拡張圧を加工圧Ｐ２とし、拡張圧を加工圧Ｐ２に維持したまま、荒加工、仕上げ加工等のホーニング加工を施すものである。
【００２９】
図７（ａ）に示すように、従来のホーニング加工工程によれば、楕円形状が現れており、真円度が４．２μｍであり、上記規格は満足しているが、８０％〜９０％程度となるため、加工条件等に外乱が加わった場合に容易に規格外となり、量産工程では好ましくない。
これは、従来のホーニング加工工程において、芯出し時の拡張圧を加工圧Ｐ２としているため、治具２０のクランプ力がツールの初動回転時のトルクに負けてコンロッド２が回転し、コンロッド２に曲げ応力が発生していることによると考えられる。
【００３０】
これに対し、図７（ｂ）に示すように、本実施形態のホーニング加工工程によれば、真円形状に加工できており、上記計算結果による真円度が１．７μｍであった。このように、上記規格（５．０μｍ）に対して３０％程度と、十分な真円度が確保できていることが確認できた。
以上のように、本実施形態のホーニング加工工程によれば、高精度な加工が可能である。また、規格に対して十分な真円度を実現できるので、量産工程での精度保証が可能である。
【符号の説明】
【００３１】
１      ホーニング加工装置
２      コンロッド（ワーク）
３      大端孔（ワークの孔）
１０    ホーニングツール
１１    砥石
１４    砥石拡張機構
２０    治具
３０    制御装置
【図１】
2010208004.tif 000003
【図２】
2010208004.tif 000004
【図３】
2010208004.tif 000005
【図４】
2010208004.tif 000006
【図５】
2010208004.tif 000007
【図６】
2010208004.tif 000008
【図７】
2010208004.tif 000009